(57)【要約】      （修正有）【課題】格子パネルへの棚の取付自由度が高く、棚取付時、対応する格子板、外枠をビスや釘で傷付けず、取付位置を変更しても、ビス孔、釘孔による格子ラティスの美観低下、格子板の強度低下が生じず、外枠も腐食しない格子ラティス用棚取付具を提供する。【解決手段】取付具１０は、格子ラティスの表裏方向から格子パネルの一部を挟持し、かつ突出方向が平行で断面ひし形の一対の位置決め突起１７が離間して突設された第１の挟持体１５と、第２の挟持体１６とを有する。一対の位置決め突起は、ひし形の対角線ｃの延長線が重なるように離間して突設される。一対の位置決め突起の内側コーナー部１７ａ間の長さを、格子板１２の交差部分１２ａの内外コーナー間の長さと同一とし、外側コーナー部間の長さを、格子空間の対角線の長さと同一とした。【選択図】図１
0003200531.tif 000002
【実用新案登録請求の範囲】
【請求項１】
格子ラティスの本体となり、かつ同一幅の多数の格子板を一定ピッチで交差させて連結することにより、多数の矩形状の格子空間が現出した格子パネルに、棚を取り付ける際の固定基台となる格子ラティス用棚取付具であって、
前記格子ラティスの表裏方向から前記格子パネルの一部を挟持する第１の挟持体と第２の挟持体とを有し、
前記第１の挟持体および前記第２の挟持体の何れかの挟持面に、突出方向を平行にした断面正方形を含む断面ひし形の一対の位置決め突起が、前記ひし形の対角線の延長線が重なるように離間して突設され、
前記一対の位置決め突起の内側コーナー部間の長さを、前記格子板の交差部分の内外コーナー間の長さと同一とし、
前記一対の位置決め突起の外側コーナー部間の長さを、前記格子空間の対角線の長さと同一とした格子ラティス用棚取付具。
【考案の詳細な説明】
【技術分野】
【０００１】
この考案は格子ラティス用棚取付具、詳しくは格子ラティスに棚を設置する際や、格子ラティスを横方向に連結するときに利用される格子ラティス用棚取付具に関する。
【背景技術】
【０００２】
庭やベランダなどを覆う木製のフェンスの一種として、薄肉の多数の格子板を一定間隔で交差して連結した矩形状の格子パネルの外周部に、矩形状の外枠を設けた格子ラティスが知られている。
ガーデニングを楽しむ際には、格子パネルの格子板の交差部分に、フックを介してプランターボックスを引っ掛け、これに各種の植木鉢類などを収納して格子ラティスを飾ることが行われていた（例えば、特許文献１の段落番号００６７参照）。
しかしながら、植木鉢などを収納したプランターボックスを、フックによって格子板の交差部分に長期間掛止した場合、植木鉢などの荷重の作用により、フックが引っ掛けられた格子板の交差部分で２枚の格子板の接合が剥がれてしまい、その部分の強度が低下し、プランターボックスの安定性が低下していた。
【０００３】
その対策として、従前より格子ラティスに棚（固定物）を取り付け、棚の上にプランタや植木鉢を載置することが行われてきた。
一般的に、格子パネルに棚を設ける際には、外枠の左側枠材と右側枠材との所定高さに一対の棚用ブラケットをビス止め（または釘止め）し、その後、両ブラケット間に格子ラティスの幅と同じ長さの棚板を横架していた。しかしながら、この方法では棚板の長さが格子ラティスの幅に限定されてしまい、棚の取り付け自由度が小さかった。そのため、例えば、格子ラティスに、その幅より短い小型棚を取り付けたり、複数の格子ラティスを横方向に連結した長尺なラティスフェンスに、格子ラティスの幅より長い大型棚を設けることはできなかった。
そこで、小型棚や大型棚を格子ラティスに取り付ける方法として、一対の棚用ブラケットを、直接、格子ラティスの格子パネルの所定位置にビス止め（釘止め）し、これらのブラケット間に長尺な棚板や短尺な棚板を横架することが考えられる。
【先行技術文献】
【特許文献】
【０００４】
【特許文献１】特開２００３−３６９５号公報
【考案の開示】
【考案が解決しようとする課題】
【０００５】
しかしながら、上述した小型棚や大型棚の棚付けでは、棚用ブラケットを格子パネルの格子板に直接ビス止めするため、肉薄な格子板が割れてしまうおそれがあった。
また、棚の取り付け位置を変更した場合には、変更前の格子板の箇所にビス孔が現出し、格子ラティスの美観を損ねるとともに、ビス孔付近の格子板の強度が低下し、例えば強風時や移動中のプランタなどが格子パネルに衝突したときに、ビス孔の付近から格子板が破損しやすくなる。
さらに、従来、長尺なラティスフェンスを設ける際には、隣接する格子ラティスの外枠間に連結金具をビス止め（釘止め）していた。そのため、これらの連結を解除したとき、外枠にビス孔が露出してしまい、格子ラティスの美観を損ねたり、雨水がビス孔から外枠内に浸み込むなどして、外枠が腐食し易くなる原因となっていた。
【０００６】
そこで、考案者は鋭意研究の結果、格子板の交差部分を利用して一対の位置決め突起により位置決めし、この状態で、第１の挟持体と第２の挟持体とによって格子ラティスの表裏方向から格子パネルの一部を挟持するように格子ラティス用棚取付具を組み付け、これを固定基台として、例えば、棚付け用のブラケットや隣接する格子ラティスの連結金具などをビス止めすれば、上述した問題はすべて解消されることを知見し、この考案を完成させた。
【０００７】
すなわち、この考案は、格子パネルへの棚の取り付け自由度が高く、かつ取り付け時に格子板をビスや釘で傷付けず、よって取り付け位置変更後に、ビス孔や釘孔による格子パネルの美観の低下や格子板の強度の低下が生じず、また格子ラティス連結時にビスや釘による外枠の損傷がなく、これにより連結解除後、ビス孔や釘孔による格子ラティスの美観の低下や外枠の腐食がない格子ラティス用棚取付具を提供することを目的としている。
【課題を解決するための手段】
【０００８】
請求項１に記載の考案は、格子ラティスの本体となり、かつ同一幅の多数の格子板を一定ピッチで交差させて連結することにより、多数の矩形状の格子空間が現出した格子パネルに、棚を取り付ける際の固定基台となる格子ラティス用棚取付具であって、前記格子ラティスの表裏方向から前記格子パネルの一部を挟持する第１の挟持体と第２の挟持体とを有し、前記第１の挟持体および前記第２の挟持体の何れかの挟持面に、突出方向を平行にした断面正方形を含む断面ひし形の一対の位置決め突起が、前記ひし形の対角線の延長線が重なるように離間して突設され、前記一対の位置決め突起の内側コーナー部間の長さを、前記格子板の交差部分の内外コーナー間の長さと同一とし、前記一対の位置決め突起の外側コーナー部間の長さを、前記格子空間の対角線の長さと同一とした格子ラティス用棚取付具である。
【０００９】
ここでいう格子ラティス用棚取付具とは、格子ラティスの格子パネルに棚を設ける際の固定基台となるものである。また、この格子ラティス用棚取付具は、棚の他にも、例えば格子ラティスを横方向に連結してラティスフェンスを設ける際の連結金具の固定基台として利用することができる。
ここでいう格子ラティスとは、矩形状の外枠とその内側空間に配置される格子パネルとを有し、かつ格子パネルが、同一幅の多数の格子板を一定ピッチの交差状態で連結することにより、パネル全体に多数の矩形状の格子空間が現出したものである。
各格子空間は正面視して正方形、長方形、ひし形の何れでもよい。ここでいう「正面視して」とは、床面に立設された格子ラティスの表面に正対する方向を意味する。
【００１０】
格子パネルに固定される棚は限定されない。例えば、飾り置き棚、本棚、コーナーラック棚、複数段鉢植えラック、テレビ台、パソコンラック、電子レンジ棚、オーブントースター棚などを採用することができる。また、格子パネルに固定されるものは、棚や格子ラティス間の連結金具だけでなく、フック掛けのプランターボックスでもよい。格子ラティス用棚取付具にフックを引っ掛けることで、これを長期間掛止しても、植木鉢などの荷重の作用により、格子板の交差部分で２枚の格子板の接合（接着）が剥がれて、その部分の強度が低下するおそれがない。
また、２枚の格子ラティスを直角またはＶ字状に配置し、その左右の格子パネルのコーナー部に一対の格子ラティス用棚取付具を配置し、これらに台形の棚を横架してもよい。この場合、上中下段に格子ラティス用棚取付具を対配置し、これらに台形の棚を複数段配置しても、また各格子パネルの幅方向に所定ピッチで複数の格子ラティス用棚取付具を対配置し、これらに幅が異なる大中小の台形の棚を取り付けるようにしてもよい。
【００１１】
第１の挟持体および第２の挟持体（位置決め突起も同様）の素材としては、例えば各種の木（杉、松、桧など）、各種のプラスチック（ポリプロピレン、ポリアミド、ポリカーボネートなど）、各種の合成ゴム（スチレン・ブタジエンゴム、イソプレンゴムなど）、各種の金属（鉄、ステンレス、アルミニウムなど）を採用することができる。
第１の挟持体および第２の挟持体の形状、サイズは任意である。例えば所定サイズの板材、所定サイズのブロック材などを採用することができる。
第１の挟持体と第２の挟持体との組み立てに際しては、互いを嵌合して組み立てても、ビスや釘を使用して組み立ててもよい。
【００１２】
各位置決め突起の素材は、それらが配設される第１の挟持体または第２の挟持体と同一のものでも、それとは異なるものでもよい。
位置決め突起の高さ（突出長さ）は、格子板の交差部分の厚さ（２枚分の格子板の厚さ）と同一か、それより短いものとする。その理由は、第１の挟持体と第２の挟持体とを組み合わせたとき、これらによって格子板の交差部分を挟持できるようにするためである。
「断面正方形を含む断面ひし形の位置決め突起」とは、それぞれの位置決め突起において、その突出方向（高さ方向）に直交する断面（先端面）の形状が、ひし形かその一種である正方形となった角材であることを意味する。
【００１３】
ここでいう「一対の位置決め突起が、ひし形の対角線の延長線が重なるように離間して突設され、」とは、位置決め突起をその突出方向から視たとき、一方の位置決め突起の先端面における一方の対角線の延長線と、他方の位置決め突起の先端面における一方の対角線の延長線とが１つに重なり合うように、選択された側の挟持体の挟持面に、２つの位置決め突起が離間状態で突設されることを意味する。
ここでいう「一対の位置決め突起の内側コーナー部間の長さを、格子板の交差部分の内外コーナー間の長さと同一とし」とは、位置決め突起をその突出方向から視たとき、一対の位置決め突起の各コーナー部のうち、隣接する（最も近接した、対峙した）コーナー部の頂点間の長さ（距離）が、格子の対角線の延長線上における格子板の交差部分の長さ（交差部分の最短長さ）と同一であることを意味する。格子ラティス治具の位置決め精度を考慮すれば、対峙した内側コーナー部同士の最適な離間長さは、一対の位置決め突起により格子板の交差部分を挟持できる、この交差部分の内外コーナー間の長さとなる。
【００１４】
ここでいう「一対の位置決め突起の外側コーナー部間の長さを、格子空間の対角線の長さと同一とした」とは、位置決め突起の突出方向から視たとき、一対の位置決め突起の各コーナー部のうち、隣接する側（最も近接する側、対峙する側）とは反対側のコーナー部の頂点間の長さ（距離）が、格子空間に存在する２本の対角線のうち、選択された方（各位置決め突起が配置される方）の対角線の長さと同一であることを意味する。選出される対角線は、格子空間の２本の対角線のうちの長い方でも、短い方でもよい。
このように、格子ラティス用棚取付具では、一対の位置決め突起の内側コーナー部間の長さを、格子板の交差部分の内外コーナー間の長さと同一とし、かつ一対の位置決め突起の外側コーナー部間の長さを、格子空間の対角線の長さと同一としている。そのため、隣接する一対の格子空間から格子板の交差部分を、それぞれの内側コーナー部間で挟み込むように、一対の位置決め突起を格子パネルに配置できるとともに、所望の格子空間の一部を構成する一対の格子板の交差部分に、その格子空間の内方から一対の位置決め突起の外側のコーナー部をそれぞれ押し付けて、各位置決め突起を突っ張り棒のようにして、格子パネルに配置することができる。
【００１５】
各位置決め突起は、第１の挟持体の挟持面（第２の挟持体側の面）に配設しても、第２の挟持体の挟持面に配設してもよい。または、一方の位置決め突起を第１の挟持体側に設け、他方の位置決め突起を第２の挟持体側に設けてもよい。
なお、位置決め突起が配される挟持体に、一対の位置決め突起の離反方向に長いスライド孔を設け、このスライド孔に一対の位置決め突起のうちの少なくともいずれか一方をスライド可能に取り付ければ、格子板や格子空間のサイズが異なる格子ラティスに対しても、１つの格子ラティス用棚取付具により対応することができる。
【考案の効果】
【００１６】
請求項１に記載の考案によれば、隣接する一対の格子空間（格子板の交差部分の内外コーナー間）から格子板の交差部分を、それぞれの内側コーナー部間により挟み込むように一対の位置決め突起を配置し、この状態で格子ラティスの表裏方向から第１の挟持体と第２の挟持体とにより格子パネルの一部を挟持して、格子ラティス用棚取付具を格子パネルに組み付ける。または、１つの格子空間を形成する一対の格子板の交差部分に、その格子空間の方から一対の位置決め突起の外側のコーナー部をそれぞれ当接し、この状態で格子ラティスの表裏方向から第１の挟持体と第２の挟持体とにより格子パネルの一部を挟持して、格子ラティス用棚取付具を格子パネルに組み付ける。これにより、格子パネルへの棚の付け自由度が高まる。
その後、この格子ラティス用棚取付具を固定基台として、棚（固定物）をビスまたは釘などによって固定する。
【００１７】
これにより、格子パネルへの棚の取り付け時に格子板を傷付けることがなくなる。その結果、格子パネル上での棚の取り付け位置を変更しても、ビス孔や釘孔を原因とした格子板の強度低下が発生しない。そのため、例えば、強風時や移動中のプランタなどが格子パネルに衝突して大きな外力が格子パネルに作用しても、棚の取り付け変更前の箇所から格子板が破損しにくい。
【００１８】
また、隣り合う格子ラティスを連結して長尺なラティスフェンスを設けることもできる。具体的には、各外枠の突き合わせ側（連結側）の枠材付近において、それぞれの格子パネルに一対の格子ラティス用棚取付具を組み付け、これらの格子ラティス用棚取付具を固定基台とし、各格子ラティスの外枠の突き合わせ側の枠材に、格子ラティスの連結金具（固定物）を横架してビス止めする。
これにより、格子ラティス間の連結を解除したとき、外枠にビス孔が露出せず、その後、格子ラティスを単独使用した際にも、外枠のビス孔を原因として、格子ラティスの美観を損ねたり、外枠が腐食することがない。
【図面の簡単な説明】
【００１９】
【図１】この考案の実施例１に係る格子ラティス用棚取付具の使用状態を示す分解斜視図である。
【図２】この考案の実施例１に係る格子ラティス用棚取付具の使用状態の正面図である。
【図３】（ａ）は、この考案の実施例１に係る格子ラティス用棚取付具の使用状態を示す縦断面図である。（ｂ）は、この考案の実施例１に係る格子ラティス用棚取付具の他の使用状態を示す縦断面図である。
【考案を実施するための形態】
【００２０】
以下、この考案の実施例を具体的に説明する。なお、ここでは格子空間が正方形の格子ラティス用棚取付具を例とする。
【実施例】
【００２１】
図１および図２において、１０はこの考案の実施例１に係る格子ラティス用棚取付具である。この格子ラティス用棚取付具１０は、格子ラティス１１の本体となり、かつ同一幅の多数の格子板１２を縦横同一ピッチの直交状態で交差させて連結することで、多数の正方形の格子空間ａが現出した格子パネル１３に棚を取り付けるときの固定基台となる。
格子ラティス１１は、矩形の外枠１４に対して薄肉で細長い帯状の板である格子板１２を４５度の角度で平行に配列し、この斜め板１２と直交するよう同じく帯板１２を斜め方向に配置して構成してある。すなわち、多数の格子板１２を一定間隔で直交状態で連結した矩形状の格子パネル１３の外周部に、矩形状の外枠１４を設けたものである。各格子板１２の交差部分１２ａ（ひし形部分）では、表側の格子板１２と裏側の格子板１２とが木工用ボンドまたはタッカー（ホチキス）により接合されている。また、格子ラティス１１にはひし形の空間が多数規則的に配置されることとなる。
【００２２】
以下、図１〜図３を参照して、格子ラティス用棚取付具１０を具体的に説明する。
図１に示すように、格子ラティス用棚取付具１０は、杉材（木材）からなる厚肉な矩形板状の第１の挟持体１５と、第１の挟持体１５より肉薄である他は、第１の挟持体１５と同一の杉材からなる第２の挟持体１６とを有している。第１の挟持体１５と第２の挟持体１６とは、格子ラティス１１の表裏方向から格子パネル１３の一部分を挟持するものである。
このうち、第１の挟持体１５は、格子空間ａの一方の対角線ｂの約２倍の長さを有し、かつ長さ方向に直交する断面が矩形状の厚肉な板材である。第１の挟持体１５の長さ方向の両端部には、その挟持面（裏面、使用時に第２の挟持体１６と対峙する面）１５ａに、それぞれの突出方向が平行状態で、かつ突出方向に直交する断面が正方形の一対の位置決め突起１７が配設されている。
【００２３】
各位置決め突起１７は、位置決め突起１７の突出方向から視て、正方形の先端面の各一方の対角線ｃが、挟持面１５ａを幅方向に２分割する中心線（一直線）ｄ上に配置されている。各位置決め突起１７の対角線ｃの長さは、第１の挟持体１５の幅と同一である。
また、中心線ｄ上において、一対の位置決め突起１７の内側コーナー部（対角線ｃ上に配された２つのコーナー部のうち、他方の位置決め突起１７に近い側のコーナー部）１７ａの間の長さｅは、格子板１２の交差部分１２ａの内外コーナー間の長さ（最短長さ）ｆと同一である。
【００２４】
さらに、各位置決め突起１７において、内側コーナー部１７ａとは反対側に配置された外側コーナー部（対角線ｃ上に配された２つのコーナー部のうち、他方の位置決め突起１７から遠い側のコーナー部）１７ｂの間の長さｇは、格子空間ａの対角線ｂの長さと同一である。
各位置決め突起１７の中心軸線上には、第１の挟持体１５の表面まで貫通した一対の貫通孔１８がそれぞれ形成されている。各貫通孔１８の第１の挟持体１５側の部分は、ドライバによる挟持用ビス１９のねじ込みが容易となるように大径部１８ａとなっている。
第２の挟持体１６は、一方向に長い矩形状で、かつ厚さが第１の挟持体１５の約半分となった板材である。その他の板材のサイズは第１の挟持体１５と同一である。
【００２５】
次に、図２および図３を参照して、この考案の実施例１に係る格子ラティス用棚取付具１０の使用方法を説明する。ここでは、２枚の格子ラティス１１を横方向に連結したラティスフェンス２０において、格子ラティス１１に長さが異なる３種類の棚を固定する場合と、格子ラティス用棚取付具１０の応用例としての２枚の格子ラティス１１を連結する場合とを例示する。
まず、長さが異なる短尺棚３０、中尺棚３１および長尺棚３２を、ラティスフェンス２０に取り付ける方法を説明する。このうち、長尺棚３２は１枚の格子ラティス１１の幅より長い棚である。
【００２６】
短尺棚３０と中尺棚３１との場合には、左側の格子パネル１３の上端部とその高さ方向の中間部とに、それぞれ左右一対の格子ラティス用棚取付具１０を、格子パネル１３の幅方向に所定長さだけ離間して組み付ける。
具体的には、図２および図３（ａ）に示すように、左側の格子パネル１３の上端部とその高さ方向の中間部とにおいて、それぞれ１つの格子空間ａの対角部分を形成する上下一対の格子板１２の交差部分１２ａに、その格子内方から上下一対の位置決め突起１７をそれぞれ当接する。このとき、各格子空間ａと各位置決め突起１７の断面形状とがそれぞれ正方形で、かつ一対の位置決め突起１７の外側コーナー部１７ｂの間の長さｇが、格子空間ａの対角線ｂの長さと同一であるため、格子ラティス用棚取付具１０は、一対の位置決め突起１７を介してほとんどガタつきなく、格子パネル１３に組み付けられる。この状態で、各格子ラティス１１の表裏方向から各格子パネル１３の一部を、対応する第１の挟持体１５と第２の挟持体１６とによりそれぞれ挟持する。
【００２７】
すなわち、各第１の挟持体１５の一対の貫通孔１８にそれぞれ挟持用ビス１９を挿入し、これらをドライバによりしっかりとねじ込む。その結果、左側の格子パネル１３の上端部とその高さ方向の中間部とにおいて、格子パネル１３の一部を挟持した状態で、対応する第１の挟持体１５と第２の挟持体１６とが締結される。これにより、合計２対の格子ラティス用棚取付具１０が、左側の格子パネル１３の上端部とその高さ方向の中間部とにそれぞれ組み付けられる。
その後、上下段に対配置された各格子ラティス用棚取付具１０を固定基台として、一対の棚用ブラケット３３の垂直部をこれらにビス止めするとともに、各棚用ブラケット３３の水平部に、所定長さの棚板３４の長さ方向の両端部をそれぞれビス止めする。これにより、左側の格子パネル１３の所定位置に短尺棚３０と中尺棚３１とが配設される。
【００２８】
次に、図２および図３（ｂ）を参照して、長尺棚３２は、左側の格子パネル１３の下端部のうち、格子ラティス１１の幅方向の中間部付近に、左側の格子ラティス用棚取付具１０を組み付け（図３（ｂ））、かつ右側の格子パネル１３の下端部の右側付近に、右側の格子ラティス用棚取付具１０を組み付ける（図３（ａ））。
【００２９】
このうち、左側の格子ラティス用棚取付具１０は、上下に隣接する一対の格子空間ａから格子板１２の交差部分１２ａを、長さ方向を縦に向けた第１の挟持体１５の一対の位置決め突起１７によってそれぞれ挟み込んで位置決めする。このとき、各格子空間ａと各位置決め突起１７の断面形状とがそれぞれ正方形で、かつ一対の位置決め突起１７の内側コーナー部１７ａの間の長さｅが、格子板１２の交差部分１２ａの内外コーナー間の長さｆと同一であるため（図１）、格子ラティス用棚取付具１０は、一対の位置決め突起１７を介してほとんどガタつきなく、格子パネル１３に組み付けられる。このような位置決め状態で、各格子ラティス１１の表裏方向から格子パネル１３の一部を、対応する第１の挟持体１５と第２の挟持体１６とによりそれぞれ挟持する（図３（ｂ））。
【００３０】
また、右側の格子ラティス用棚取付具１０は、上述した短尺棚３０や中尺棚３１を格子パネル１３に取り付ける際に利用した方法によって取り付ける。
その後、対配置された各格子ラティス用棚取付具１０を固定基台として、一対の棚用ブラケット３３の垂直部をこれらにビス止めするとともに、各棚用ブラケット３３の水平部に、長尺な棚板３４の長さ方向の両端部をそれぞれビス止めする。これにより、左側の格子パネル１３と右側の格子パネル１３の下端部に長尺棚３２が設けられる。
【００３１】
このように、格子ラティス棚取付具１０を格子パネル１３に取り付ける際には、格子板１２の交差部分１２ａを上下方向（または左右方向）から挟み込む場合と、１つの格子空間ａの対角部分を形成する上下一対（または左右一対）の格子板１２の交差部分１２ａに、格子内方から一対の位置決め突起１７を突っ張り棒のように当接する場合とを、使用者の好みに合わせて選択することができる。そのため、格子パネル１３への各棚３０〜３２の取付自由度が高まる（２枚の格子ラティス１１を連結する場合も同じ）。
また、格子パネル１３への各棚３０〜３２の固定（取り付け）時に、ビスや釘を格子パネル１３に打ち込まないので、格子板１２を傷付けることがなくなる。そのため、仮に格子パネル１３上での各棚３０〜３２の取り付け位置を変更しても、ビス孔や釘孔を原因とした格子板１２の強度低下が発生しない。その結果、例えば、強風時や移動中のプランタなどが格子パネル１３に衝突して大きな外力が格子パネル１３に作用したときであっても、各棚３０〜３２の取り付け変更前の箇所に存在する格子板１２が、特に破損しやすいということはない。
【００３２】
次に、図２および図３を参照して、格子ラティス用棚取付具１０を利用し、２枚の格子ラティス１１を連結する場合について説明する。ここでは、上中下段に配置される３つの連結金具２１Ａ，２１Ｂ，２１Ｃを利用する。
【００３３】
図２および図３（ｂ）に示すように、２枚の格子ラティス１１の上端部と下端部との連結時には、各格子パネル１３の外枠１４の突き合わせ側（連結側）の枠材１４ａ付近において、上下に隣接する一対の格子空間ａから格子板１２の交差部分１２ａを、長さ方向を縦に向けた第１の挟持体１５の一対の位置決め突起１７によってそれぞれ挟み込んで位置決めする。この位置決め状態で、各格子ラティス１１の表裏方向から格子パネル１３の一部を、対応する第１の挟持体１５と第２の挟持体１６とによりそれぞれ挟持する。これにより、隣接する２枚の格子パネル１３の上端部と下段部とに、合計２対の格子ラティス用棚取付具１０がそれぞれ組み付けられる。
その後、左右対配置される格子ラティス用棚取付具１０の第１の挟持体１５を固定基台として、各突き合わせ側の枠材１４ａを跨ぐように、縦長な矩形状の連結金具２１Ａ，２１Ｃの長さ方向の両端部をそれぞれビス止めする（図２）。
【００３４】
また、図２および図３（ａ）に示すように、２枚の格子ラティス１１の高さ方向の中間部の連結時には、各格子パネル１３の外枠１４の突き合わせ側の枠材１４ａ付近において、それぞれ１つの格子空間ａの対角部分を形成する上下一対の格子板１２の交差部分１２ａに、その格子内方から上下一対の位置決め突起１７をそれぞれ当接する。この状態で、各格子ラティス１１の表裏方向から各格子パネル１３の一部を、対応する第１の挟持体１５と第２の挟持体１６とによりそれぞれ挟持する。
なお、一方の突起をスライド長孔を介してそれら突起の離間方向にスライド自在に設けることで、寸法の異なるラティスや、外枠を間にしたラティス同士の連結にも対応することができる。
その後は、同様に一対の格子ラティス用棚取付具１０を各格子パネル１３に組み付けた後、各第１の挟持体１５を固定基台として、各外枠１４の突き合わせ側の枠材１４ａを跨ぐように、矩形状の連結金具２１Ｂの長さ方向の両端部をそれぞれビス止めする。
これにより、２枚の格子ラティス１１の連結時にビスや釘により外枠１４を傷付けず、この連結を解除しても、ビス孔や釘孔による格子ラティス１１の美観の低下や外枠１４の腐食が生じない。
【産業上の利用可能性】
【００３５】
この考案の格子ラティス用棚取付具は、例えば格子ラティスへの棚付けや、複数の格子ラティスを連結する技術として有用である。
【符号の説明】
【００３６】
１０  格子ラティス用棚取付具、
１１  格子ラティス、
１２  格子板、
１２ａ  交差部分、
１３  格子パネル、
１５  第１の挟持体、
１５ａ  挟持面、
１６  第２の挟持体、
１７  位置決め突起、
１７ａ  内側コーナー部、
１７ｂ  外側コーナー部、
２１Ａ〜２１Ｃ  連結金具、
３０  短尺棚、
３１  中尺棚、
３２  長尺棚、
ａ  格子空間、
ｂ,ｃ  対角線、
ｅ  内側コーナー部間の長さ、
ｆ  内外コーナー間の長さ、
ｇ  外側コーナー部間の長さ。
【図１】
0003200531.tif 000003
【図２】
0003200531.tif 000004
【図３】
0003200531.tif 000005